(57)【要約】      （修正有）【課題】作業性に優れ且つ地中熱交換用のパイプを強固に保持することができるパイプ保持スペーサーを提供する。【解決手段】熱可塑性樹脂製のパイプ保持スペーサー１であって、無端状の枠体２からなり、枠体には、複数の挿入孔３が所定の間隔で貫通しており、複数の挿入孔のうち少なくとも２つは、パイプを挿入するための挿入用凹部４と、パイプを固定するための固定用凹部５とが連結した孔であり、固定用凹部の開口は、挿入用凹部の開口と一致しており、且つ、パイプの外径より小さい幅を有しており、固定用凹部は、平面視で円弧状の湾曲面と、湾曲面に連なる２つの側面により形成されているか、または、平面視で円弧状の湾曲面により形成されており、固定用凹部における湾曲面の曲率半径が、パイプの外面における半径より小さいことを特徴とするパイプ保持スペーサーである。【選択図】図１
2019086142.tif 000002
【特許請求の範囲】
【請求項１】
複数の地中熱交換用のパイプを保持するための、熱可塑性樹脂製のパイプ保持スペーサーであって、
無端状の枠体からなり、
該枠体には、複数の挿入孔が所定の間隔で貫通しており、
前記複数の挿入孔のうち少なくとも２つは、前記パイプを挿入するための挿入用凹部と、前記パイプを固定するための固定用凹部とが連結した孔であり、
前記固定用凹部の開口は、前記挿入用凹部の開口と一致しており、且つ、前記パイプの外径より小さい幅を有しており、
前記固定用凹部は、平面視で円弧状の湾曲面と、該湾曲面に連なる２つの側面により形成されているか、または、平面視で円弧状の湾曲面により形成されており、
前記固定用凹部における湾曲面の曲率半径が、前記パイプの外面における半径ｒより小さいことを特徴とするパイプ保持スペーサー。
【請求項２】
前記固定用凹部における湾曲面の曲率半径が、前記半径ｒより０．１〜０．５ｍｍ小さい、請求項１に記載のパイプ保持スペーサー。
【請求項３】
前記固定用凹部の開口が、前記パイプの外径の９０〜９９％の幅を有している、請求項１または２に記載のパイプ保持スペーサー。
【請求項４】
前記固定用凹部が、平面視で円弧状の湾曲面と、該湾曲面に連なる２つの側面により形成されており、
前記２つの側面が、前記湾曲面から前記枠体の径方向内方に向かって互いに略平行に延びている平行領域と、該平行領域より前記枠体の径方向内方に位置し、互いに漸次近づくように前記枠体の径方向内方に向かって伸びている非平行領域とからなる、請求項１〜３の何れかに記載のパイプ保持スペーサー。
【請求項５】
平面視して前記２つの側面の内端が、直径が前記パイプの外径より０．１〜０．５ｍｍ大きく且つ中心が前記湾曲面を平面視した円弧の中心と一致している仮想円上に位置している、請求項４に記載のパイプ保持スペーサー。
【発明の詳細な説明】
【技術分野】
【０００１】
本発明は、地中熱交換用のパイプを保持するためのスペーサーに関し、詳細には、作業性に優れ且つ地中熱交換用のパイプを強固に保持することができるスペーサーに関する。
【背景技術】
【０００２】
地中の温度は、年間を通して１０〜１５℃とほぼ一定であり、外気温に比べると、夏は低く、冬は高くなっている。この外気との温度差に着目し、地中に熱交換器を埋設して地中熱を採熱し、熱源として利用することが行われている。
【０００３】
地中熱利用技術は、地中においてほぼ一定である地中熱を利用して熱交換を行うものである。冬には高温エネルギーとして地中熱を採熱し、暖房用熱源または融雪用熱源等に利用することができる。また、夏には地中熱を低温エネルギーとして冷房用途等に利用することができる。地中熱は大気よりも温度が安定していて効率的な熱源であり、かつ二酸化炭素の発生の少ない熱源である。そのため、地中熱利用システムは、省エネルギーで地球環境に優しいシステムとして普及が期待されている。
【０００４】
地中熱利用システムとして、地中に垂直に熱交換チューブを設置した垂直埋設方式が知られている。この方式では、例えば十数ｍｍ径の鋼製Ｕ字管やプラスチック製Ｕ字管を、地表から下方に掘削された垂直な削孔に挿入して周りを土質材料（グラウト材）で充填する。この方式には、設置のために占有する地表面積が小さく、また地表面のヒートロスが少ないという利点がある。
【０００５】
例えば特許文献１には、垂直埋設方式において、平行な直管部分の下端部同士を連通したＵ字管を用いることが提案されている。しかしながら、垂直埋設方式において地中熱を効率よく利用するためには、地中深くまで熱交換チューブを埋設する必要があり、埋設のための削孔深度は数十ｍ〜約１００ｍの深さが必要であった。そのため、Ｕ字管の長さも数十ｍ〜約１００ｍ必要であった。
【０００６】
また、出願人は先に特許文献２において、高い熱交換効率を実現しながら削孔深度を浅くする地中熱交換器として、地面から鉛直下方に形成された熱交換領域において、循環流体を対地熱交換させる流体路として、循環流体を地表側から地中へ向けて流す往路と、その往路を通過した流体を地中から地表側へ向けて流す復路を有する樹脂製流体路を、少なくとも３つ用いて形成されている地中熱交換構造を備えている地中熱交換器を提案している。特許文献２の地中熱交換器によれば、掘削深度を浅くすることができるが、それでも掘削深度は数十ｍほどある。そのため、樹脂製流体路の長さも数十ｍ必要であった。
【０００７】
このように垂直埋設方式により地中熱を利用するにあたっては、長い地中熱交換用パイプを削孔に埋設する必要がある。長いパイプを深い削孔に挿入する際、パイプには揺れやねじれ等に起因する応力が加わり、パイプ同士を適切な距離に保持しながら挿入することが難しい。パイプの位置がずれ、パイプ間距離が過度に短くなると、熱交換効率が低下するショートサーキットの問題につながることもある。
【０００８】
そのため、パイプ保持スペーサーを使ってパイプを正しい位置に保持することが広く行われている。パイプ保持スペーサーは、パイプに一定間隔ごとに取り付けられて使用される。例えば長さ３０ｍのパイプに１．５ｍ間隔で取り付けるのであれば、合計２０個のスペーサーが必要である。
【０００９】
パイプ保持スペーサーとして、例えば特許文献３に、削孔内に挿入され、管軸方向が鉛直方向に沿った３本以上の管を有する地中熱交換器の、該３本以上の管の各々を支持する３つ以上の支持部を有し、前記支持部は、前記３本以上の管の各々を、法線方向が前記鉛直方向である仮想円の円周上に保持する保持部材が開示されている。
【先行技術文献】
【特許文献】
【００１０】
【特許文献１】特開平１１−１８２９４３号公報
【特許文献２】特開２０１４−１８５８２２号公報
【特許文献３】特開２０１４−７０６９７号公報
【発明の概要】
【発明が解決しようとする課題】
【００１１】
特許文献３の保持部材は、パイプを削孔に挿入する際に取り付けねばならず、上記の例のように３０ｍのパイプに１．５ｍ間隔で取り付けるのであれば、２０回もの取り付け作業を繰り返す必要がある。挿入作業において、パイプは、削孔内の泥水を抜きながら、また、浮力で浮いてこないように強い力をかけながら、削孔に押し込まなければならず、更に場合によってはパイプについた巻きグセを直しながら押し込まなければならないところ、特許文献３の保持部材は、複数回の取り付け作業まで発生させるので、作業性に劣っていた。更に、保持強度に関しても改善の余地があった。
【００１２】
従って、本発明の目的は、作業性に優れ且つ地中熱交換用のパイプを強固に保持することができるパイプ保持スペーサーを提供することである。
【課題を解決するための手段】
【００１３】
本発明によれば、複数の地中熱交換用のパイプを保持するための、熱可塑性樹脂製のパイプ保持スペーサーであって、
無端状の枠体からなり、
該枠体には、複数の挿入孔が所定の間隔で貫通しており、
前記複数の挿入孔のうち少なくとも２つは、前記パイプを挿入するための挿入用凹部と、前記パイプを固定するための固定用凹部とが連結した孔であり、
前記固定用凹部の開口は、前記挿入用凹部の開口と一致しており、且つ、前記パイプの外径より小さい幅を有しており、
前記固定用凹部は、平面視で円弧状の湾曲面と、該湾曲面に連なる２つの側面により形成されているか、または、平面視で円弧状の湾曲面により形成されており、
前記固定用凹部における湾曲面の曲率半径が、前記パイプの外面における半径ｒより小さいことを特徴とするパイプ保持スペーサーが提供される。
【００１４】
前記固定用凹部における湾曲面の曲率半径が、前記半径ｒより０．１〜０．５ｍｍ小さい前記パイプ保持スペーサーは、本発明の好ましい態様である。
【００１５】
前記固定用凹部の開口が、前記パイプの外径の９０〜９９％の幅を有している前記パイプ保持スペーサーは、本発明の好ましい態様である。
【００１６】
前記固定用凹部が、平面視で円弧状の湾曲面と、該湾曲面に連なる２つの側面により形成されており、
前記２つの側面が、前記湾曲面から前記枠体の径方向内方に向かって互いに略平行に延びている平行領域と、該平行領域より前記枠体の径方向内方に位置し、互いに漸次近づくように前記枠体の径方向内方に向かって伸びている非平行領域とからなる前記パイプ保持スペーサーは、本発明のより好ましい態様である。
【００１７】
平面視して前記２つの側面の内端が、直径が前記パイプの外径より０．１〜０．５ｍｍ大きく且つ中心が前記湾曲面を平面視した円弧の中心と一致している仮想円上に位置している前記パイプ保持スペーサーは、本発明の更に好ましい態様である。
【００１８】
尚、本明細書において「パイプの外面における半径ｒ」および「パイプの外径」は、スペーサー挿入時等における撓みや巻グセが無い状態で測定される値を意味する。
【発明の効果】
【００１９】
本発明のパイプ保持スペーサーはパイプを通すための挿入孔を有しているが、そのうち少なくとも２つが、挿入用凹部と固定用凹部が連結して形成されたひょうたん型挿入孔となっているため、予め挿入用凹部側にパイプを通しておき、そのパイプを固定用凹部にスライドさせるだけで、簡単に且つ強固にパイプを固定させることができる。
【図面の簡単な説明】
【００２０】
【図１】本発明のパイプ保持スペーサーの一例を示す、上から平面視したときの概略平面図である。
【図２】図１に示されたスペーサーにおける固定用凹部の形状を示す概略部分拡大平面図である。
【図３】挿入用凹部の他の形状を示す概略部分拡大平面図である。
【図４】固定用凹部の他の形状を示す概略部分拡大平面図である。
【図５】本発明のパイプ保持スペーサーの他の例を示す概略平面図である。
【図６】本発明のパイプ保持スペーサーの使用方法を説明するための写真である。
【発明を実施するための形態】
【００２１】
本発明は、地中熱交換用のパイプを保持するためのスペーサーに関する。
【００２２】
本発明のパイプ保持スペーサーは、熱可塑性樹脂製である。熱可塑性樹脂としては、ポリエチレン、ポリプロピレン等のポリオレフィン；ポリ塩化ビニル；ポリアミド;等の公知の樹脂を用いればよいが、ポリオレフィンが好ましく、ポリエチレンおよびポリプロピレンがより好ましく、ポリエチレンが特に好ましい。
【００２３】
図１には、本発明のスペーサーの一例が示されている。本発明のスペーサー１は、全体として、無端状の枠体２にパイプを通すための挿入孔３が所定の間隔で複数貫通した構造を有する。
【００２４】
挿入孔３の数は、保持するパイプの数に応じて決めればよい。例えば、特許文献２に開示されているように往路と復路を有するＵ字管を保持する場合であれば、同一の削孔に埋設するＵ字管の本数の少なくとも２倍の数の挿入孔３を設ける必要がある。
【００２５】
尚、本発明においては、必ずしも全ての挿入孔３にパイプを通す必要はなく、挿入孔３の数が多ければ、過剰分の挿入孔３にはパイプを通さなくてもよい。しかし、挿入孔３が多すぎると、パイプ間距離が短くなり、熱交換効率が低下する虞があるので、必要な数だけ設けておくほうが好ましい。
【００２６】
好適な挿入孔３の数は、６個以上、特に６〜１０個である。
【００２７】
隣り合う挿入孔の間の距離は、熱交換効率やパイプの大きさ、枠体の大きさ等を考慮して適宜決定すればよい。また、挿入孔３は、枠体２に略等間隔で設けてもよく、非等間隔で設けてもよい。例えば、保持対象となるパイプが往路と復路を有するＵ字管の場合、復路用の挿入孔を密集させ、往路用の挿入孔同士の間の距離を広くとることも考えられる。通常は、略等間隔で挿入孔３を設けることが好ましい。
【００２８】
本発明では、挿入孔３のうち少なくとも２つは、パイプを挿入するための挿入用凹部４と、パイプを固定するための固定用凹部５とが一体となって連結した孔である。図１では、挿入用凹部４は、枠体の径方向内側に位置し、固定用凹部５は外側に位置している。また、挿入用凹部４は、パイプを簡単に通すことができ、通したパイプをその軸方向上下に自由に動かすことができるだけの大きさを有する。一方、固定用凹部５は、パイプの外面に密着する程度の大きさを有しており、そのため、挿入用凹部４に比べると小さな凹部となっている。かかる構造を有する挿入孔を、ひょうたん型挿入孔３´と呼び、かかる構造を有さない挿入孔を、他の挿入孔３´´と呼ぶ。図１では、ひょうたん型挿入孔３´は４つ設けられている。
【００２９】
本発明においては、全ての挿入孔をひょうたん型挿入孔３´としてもよく、一部の挿入孔をひょうたん型挿入孔３´としてもよい。尚、ひょうたん型挿入孔３´の挿入用凹部４に通したパイプは必ずしも固定用凹部５にスライドさせずともよく、作業時間等の条件に応じて、必要な数のパイプを固定用凹部５にスライドさせればよい。
【００３０】
図１では、挿入用凹部４は、曲面６ａと、かかる曲面６ａに一体となって連なる２つの内方壁面６ｂと、かかる内方壁面６ｂに一体となって連なる２つの外方壁面６ｃとで形成された凹部である。
【００３１】
曲面６ａは、平面視して枠体径方向内方に凸の円弧状であり、且つ、水平面に対して略直角にまたは若干鋭角に立ち上がった面である。
【００３２】
図１のように上から平面視したときの曲面６ａの曲率半径は、パイプの外面における半径ｒより大きく、好適には２〜１０ｍｍ大きい。曲率半径が小さすぎると、パイプを通しづらい、通したパイプを上下に動かしづらい等の不都合が生じる虞がある。曲率半径が大きすぎると、パイプの丸みが曲面に沿わないので、パイプが枠体周方向に動きやすくなり安定性が損なわれる虞がある。
【００３３】
曲面６ａは、平面視して、中心角が１４０〜２００度となる円弧であることが好ましい。中心角が小さすぎると、パイプを通すために必要な幅を確保しづらくなる虞がある。中心角が大きすぎると、パイプが枠体周方向に大きく動き、安定性が損なわれる虞がある。
【００３４】
内方壁面６ｂは、水平面に対して略直角にまたは若干鋭角に立ち上がっている面であり、平面視して枠体径方向外方に向かって互いに徐々に近づく直線状をしている。
【００３５】
２つの内方壁面６ｂ、６ｂによって形成される角度は、前記した曲面６ａの形と後述の固定用凹部の開口の大きさのバランスによって決定され、通常は３０〜８０度が好ましい。
【００３６】
内方壁面６ｂの枠体径方向長さは、特に制限はないが、通常は６〜１２ｍｍが好ましい。
【００３７】
外方壁面６ｃも、平面視して枠体径方向外方に向かって互いに徐々に近づく直線状であり、水平面に対して略直角にまたは若干鋭角に立ち上がっている面である。外方壁面６ｃは、挿入用凹部４から固定用凹部５にパイプをスライドさせるときのガイドとしての役割を有する。
【００３８】
そのため、２つの外方壁面６ｃ、６ｃは、前述した２つの内方壁面６ｂ、６ｂよりも緩やかな角度で互いに近づきながら伸びている。具体的には、２つの外方壁面６ｃ、６ｃで形成する角度は、前述した２つの内方壁面６ｂ、６ｂで作る角度よりも小さく、好適には５〜１５度である。
【００３９】
外方壁面６ｃの枠体径方向長さは、８〜１４ｍｍが好ましい。外方壁面が短すぎるとガイドとしての役割を十分に果たせない虞がある。長すぎると、スライドに時間がかかる虞がある。
【００４０】
固定用凹部５は、挿入用凹部４からスライドしてきたパイプを嵌合させて強固に保持するために設けられている。図２は、図１に示されるスペーサーにおける固定用凹部５の概略部分拡大平面図である。
【００４１】
図２において、点ｘと点ｘの間が固定用凹部５の開口である。固定用凹部５の開口は、挿入用凹部４の開口と一致している。両矢印で表されている開口の幅は、パイプの抜けにくさの観点からパイプの外径より小さくなっており、パイプの抜けにくさと嵌合しやすさのバランスの観点から、パイプの外径の９０〜９９％が好ましく、９５〜９９％がより好ましい。
【００４２】
図２に示す態様では、固定用凹部５は、湾曲面７ａと２つの側面７ｂ、７ｂにより形成されている。
【００４３】
湾曲面７ａは、パイプの外形に沿うように、平面視で枠体径方向外側に凸の円弧状であり、水平面に対して略直角にまたは若干鋭角に立ち上がっている面である。
【００４４】
湾曲面７ａの曲率半径は、パイプの外面における半径ｒより小さく、パイプの抜けにくさと嵌合しやすさのバランスの観点から、半径ｒより０．１〜０．５ｍｍ小さいことが好ましい。
【００４５】
湾曲面７ａの円弧の中心角θも、パイプの抜けにくさと嵌合しやすさのバランスの観点から、１８０度より大きく２２０度以下であることが好ましい。
【００４６】
２つの側面７ｂ、７ｂは、湾曲面７ａに連なっており、水平面に対して略直角にまたは若干鋭角に立ち上がっている面である。２つの側面７ｂ、７ｂは、湾曲面７ａの端から枠体径方向内方に向かって互いに略平行に延びる平行領域７ｂ´、７ｂ´を有していることが好ましい。
【００４７】
平行領域７ｂ´を設けると、パイプを固定用凹部５に嵌合させたときに、パイプ外面が固定用凹部５の内面に過度に密着することを防ぎ、それによって、固定用凹部５からのパイプの抜けをより確実に防ぐことができる。詳述すると、地下の削孔に挿入する際、パイプにはあらゆる方向に揺れが生じる。仮に固定用凹部を曲面７ａのみで形成していると、パイプと固定用凹部が密着しているので、揺れが生じたときに、その揺れを吸収するだけの逃げがない。その結果、せっかく固定したパイプが固定用凹部から外れる場合が出てくる。しかし、湾曲面７ａに側面７ｂの平行領域７ｂ´を連結させると、湾曲面７ａとパイプは密着しても、側面７ｂとパイプとは、間に隙間ができるなどしてあまり密着しない。そのため、作業時に生じる揺れが、側面７ｂとパイプの間の逃げに吸収され、より確実にパイプを固定用凹部５に保持することができる。
【００４８】
更に、側面７ｂは、平行領域７ｂ´より枠体径方向内方に位置し、平行領域７ｂ´から互いに漸次近づくように枠体径方向内方に向かって伸びる非平行領域７ｂ´´を有することが好ましい。非平行領域７ｂ´´は、パイプを固定用凹部５から挿入用凹部４にスライドさせて外したくなったときに、パイプを抜きやすくするガイドの役割を有するからである。詳述すると、パイプは、基本的には固定用凹部５に嵌合された後は外さないのであるが、固定位置を間違えたときやパイプを修理・交換する必要が生じたとき等には、固定用凹部５から外さなくてはならない。そうしたときに、非平行領域７ｂ´´がガイドとなるので、パイプが固定用凹部５にしっかりと保持されているにも関わらず簡単にパイプを外すことができる。
【００４９】
上述の通り図２に示す側面７ｂは、作業時の揺れを吸収してパイプをより強固に保持する役割とパイプ解放時のガイドの役割とを有するのであるが、揺れ吸収のための逃げを十分に確保し、同時に、非平行領域７ｂ´´がガイドとして十分に機能できるようにする観点から、平面視して、２つの側面７ｂ、７ｂの、枠体径方向内側に位置する内端ｘ、ｘが、直径がパイプの外径より０．１〜０．５ｍｍ大きく且つ中心が湾曲面７ａを平面視した円弧の中心と一致している仮想円（図２では二点鎖線で表されている）上に位置していることが好ましい。
【００５０】
平行領域７ｂ´の長さは、作業時の揺れを吸収する効果を最大限に付与する観点から、１．５〜４．５ｍｍが好ましい。
【００５１】
２つ非平行領域７ｂ´´、７ｂ´´で作る角度は、パイプ解放時のガイドの役割を十分に発揮する観点から、３０〜７０度が好ましい。
【００５２】
本発明のスペーサーにおいては、全ての挿入孔３をひょうたん型挿入孔３´とすることもできるが、他の挿入孔３´´を設けることもできる。他の挿入孔３´´は、パイプを簡単に通すことができ、且つ、垂直方向に自在に動かすことができるだけの大きさを有していればよい。また、その形に特に制限はなく、円形、楕円形、多角形等任意の形とすればよい。
【００５３】
本発明において、無端状の枠体２は、前述した挿入孔３が貫通できる限り、種々の形とすることができる。
【００５４】
枠体２は、全体として、円形、楕円形、多角形等の任意の形のリング状であるが、パイプ同士の距離を均等に保ちやすいという観点から、円形のリング状が好ましい。
【００５５】
更に、無端状枠体２の外周面２ａと内周面２ｂの間の幅がひょうたん型挿入孔３´の枠体径方向長さ以上且つ他の挿入孔３´´の枠体径方向長さ以上となるように、外周面２ａを、内周面２ｂと同心同形で内周面２ｂより大きくしてもよい。例えば、内周面２ｂを円形とし、外周面２ａを、内周面２ｂと同心であり且つ内周面２ｂより大径の円形としてもよい。
【００５６】
しかし、樹脂量を減らすためには、図１に示すように、外周面２ａと内周面２ｂの間の幅を、強度が確保できる程度に薄肉とすることが好ましく、例えば挿入孔同士をつなぐ連結部分の幅を３〜５０ｍｍとすることが好ましい。このとき、ひょうたん型挿入孔３´の挿入用凹部４の周囲は、その形状に沿って枠体を部分的に径方向内方に突出させてよい。固定用凹部５の周囲も、その形状に沿って枠体を径方向外方に部分的に突出させてよい。同様に、他の挿入孔３´´の周囲も、その形状に沿って枠体を径方向内に突出させてよく、また、径方向外方に突出させてよい。
【００５７】
樹脂量をより減らしたい場合には、枠体の所望の部分に肉盗みと呼ばれる溝を設けるとよい。
【００５８】
枠体２の突出させた部分には、図１に示されているように、金型離型時の突出しピン用のリブ８を設けることがある。
【００５９】
枠体２の大きさは、削孔の大きさやパイプの本数等の条件に応じて適宜決定されるが、一般的には、枠体２の外周の円相当径（直径）が２０〜３０ｃｍであることが好ましい。図１のように枠体に径方向外方に突出した部分が存在する場合、非突出領域の外周で測定する円相当径が前記範囲内に含まれるとよい。
【００６０】
枠体２の垂直方向厚みは、枠体の強度や樹脂量等を考慮して適宜決定され、通常は、５〜２０ｍｍである。
【００６１】
枠体２は、安定性付与のために、底面に向かうにつれて、枠体径方向幅を徐々に増やしてもよい。
【００６２】
枠体２においては、作業者の手へのあたりを優しくするために、各連結部位や各角部に丸みをつけてもよい。
【００６３】
本発明のスペーサーは、図１に表された態様に限定されるものではなく、その効果を発揮できる限りにおいて種々の設計変更を施すことができる。
【００６４】
例えば、挿入用凹部４は、図１に示された形状に限定されず、その内部にパイプを通し垂直方向に自在に動かすことができる限り、他の形状であってもよい。図３は、挿入用凹部４の他の形状を表す概略部分拡大平面図である。この図３に示されているように、内方壁面６ｂを設けずに、替わりに曲面６ａを図１の態様よりも中心角の大きな円弧とし、曲面６ａに外方壁面６ｃを連結させてもよい。
【００６５】
図４は、固定用凹部５の他の形状を表す概略部分拡大平面図である。パイプの揺れを吸収する効果をあまり重要視しないのであれば、図４（ａ）に示されるように、側面７ｂに平行領域７ｂ´を設けない態様としてもよい。あるいは、図４（ｂ）に示されるように、固定用凹部５を湾曲面７ａのみで構成してもよい。
【００６６】
図１では、ひょうたん型挿入孔３´´において挿入用凹部４を枠体径方向内側に、固定用凹部５を枠体径方向外側に配置したが、この配置にとらわれず、挿入用凹部を外側に、固定用凹部を内側に配置してもよい。
【００６７】
更に、地中熱利用システムにおいては、その効果を確認するために、削孔に温度計を挿入する場合がある。かかる場合に備えて、スペーサーに温度計挿入孔を設けてもよい。図５は、本発明のパイプ保持スペーサーの他の例を示す概略平面図である。図５のスペーサーは、温度計挿入孔９が設けられている点において図１に示すスペーサーと相違している。
【００６８】
温度計挿入孔９は、リング部１０の内面に囲まれた領域に形成される孔である。
【００６９】
温度計挿入孔９は、温度計を通すことができる程度の大きさが確保できる限り、任意の形をしていてよく、例えば円形、楕円形、多角形等の形をしてよい。
【００７０】
リング部１０は、枠体２から伸びるアーム１１によって支持されている。アーム１１の数は任意である。枠体２におけるアーム１１の位置も任意である。
【００７１】
図５のように、アーム１１を複数本設け、うち２本を接近させると、特開２０１７−１０１８６７に記載されているようにＵ字パイプの往路または復路のどちらか一方を挿入孔３に通し、他方を束ねて、２本のアーム１１，１１によって形成される領域Ｙにこれを挿入することができる。
【００７２】
本発明のスペーサーは、押出成形等の公知の方法により製造することができる。
【００７３】
本発明のスペーサーに挿入および固定するパイプに特に制限はなく、地中熱交換用パイプとして公知のものを広く用いることができる。通常は、外径が１０〜２４ｍｍであり、特に１３〜２１．５ｍｍのものを用いることが好ましい。また、ポリエチレンやポリプロピレン等の熱可塑性樹脂製のパイプを用いることが好ましい。
【００７４】
本発明のパイプ保持スペーサーは、例えば図６に示されるようにして使用される。即ち、図６（ａ）に示されるように、まず、複数のパイプを用いて地中熱交換器を作製し、使用する全てのスペーサーの挿入孔にパイプを通しておく。ひょうたん型挿入孔においては、挿入用凹部のほうに通しておく。次いで、パイプを削孔に送っていく。一定の長さを送ったところで、図６（ｂ）に示されるように、一番下方に位置するスペーサーのひょうたん型挿入孔において、パイプを、挿入用凹部から固定用凹部にスライドさせる。これにより、この一番下方のスペーサーにパイプが固定される。次いで、一番下方のスペーサーごとパイプを削孔に送る。一定の長さを送ったところで、残りのスペーサーのうち一番下方のスペーサーにパイプを固定する。パイプを送る作業とスペーサーにパイプを固定する作業を繰り返すことで、パイプの位置を正しく保持しながら削孔にパイプを挿入することができる。
【００７５】
このように、本発明のパイプ保持スペーサーは、パイプ埋設作業時にはパイプを挿入用凹部から固定用凹部にスライドさせる動作を繰り返すだけでよいので作業性に優れている。しかも、固定用凹部の形状に起因してパイプを強固に保持することができる。
【符号の説明】
【００７６】
１．パイプ保持スペーサー  ２．枠体          ２ａ．外周面
２ｂ．内周面              ３．挿入孔        ３´．ひょうたん型挿入孔
３´´．他の挿入孔        ４．挿入用凹部    ５．固定用凹部
６ａ．曲面                ６ｂ．内方壁面    ６ｃ．外方壁面
７ａ．湾曲面              ７ｂ．側面        ７ｂ´．平行領域
７ｂ´´．非平行領域      ８．リブ          ９．温度計挿入孔
１０．リング部            １１．アーム
【図１】
2019086142.tif 000003
【図２】
2019086142.tif 000004
【図３】
2019086142.tif 000005
【図４】
2019086142.tif 000006
【図５】
2019086142.tif 000007
【図６】
2019086142.tif 000008